(57)【要約】【課題】両面に表示画面を備えた持ち運び可能なプレゼンテーション支援装置において、説明者は視聴者に対面した状態で自画面を操作し、それを視聴者側の画面に表示して効果的なプレゼンを行えるようにする。【解決手段】プレゼンテーション支援装置１０は、表示制御部１５，視聴者側のメイン表示装置１９，説明者側のサブ表示装置２０，画像及び／又は文字データからなるプレゼンテーション用データ１４ｂを記憶した記憶装置１４を有する。表示制御部１５は、記憶装置１４から取得したプレゼンテーション用データ１４ｂをメイン表示装置１９及びサブ表示装置２０に表示させ、サブ表示装置２０のプレゼンテーション用データ１４ｂの切替えに連動させてメイン表示装置１９のプレゼンテーション用データ１４ｂを切替える。説明者はサブ表示装置２０の画面を見ながらプレゼンを行い、視聴者はメイン表示装置１９の画面を見ながら前記説明者のプレゼンを視聴する。【選択図】        図１
2005049475.tif 000002
【特許請求の範囲】
【請求項１】
略直方体の筐体部を有する持ち運び可能なプレゼンテーション支援装置において、前記筐体部を構成する複数の面のうちプレゼンテーションの視聴者側に向ける面に第１の表示画面を設けると共に、該第１の表示画面を設けた面の裏側の面に第２の表示画面を設け、前記第１の表示画面及び第２の表示画面に同じ又は異なる画像及び／又は文字データを表示させながらプレゼンテーションを行えるようにしたことを特徴とするプレゼンテーション支援装置。
【請求項２】
請求項１に記載のプレゼンテーション支援装置において、画像及び／又は文字データからなるプレゼンテーション用データ及び該プレゼンテーション用データを再生するためのアプリケーションプログラムを記憶する記憶手段と、前記第１の表示画面及び第２の表示画面に前記記憶したプレゼンテーション用データを表示させる際の表示制御を行う表示制御手段とを有することを特徴とするプレゼンテーション支援装置。
【請求項３】
請求項１又は２に記載のプレゼンテーション支援装置において、プレゼンテーション用データに対する表示操作情報を前記表示制御手段に入力するための表示操作部を前記第２の表示画面の近傍に設けたことを特徴とするプレゼンテーション支援装置。
【請求項４】
請求項１乃至３のいずれか１に記載のプレゼンテーション支援装置において、前記第１の表示画面及び第２の表示画面に同じプレゼンテーション用データを表示させる場合、前記表示制御手段は、前記第２の表示画面のプレゼンテーション用データの切り替えに連動させて前記第１の表示画面のプレゼンテーション用データを切り替えることを特徴とするプレゼンテーション支援装置。
【請求項５】
請求項４に記載のプレゼンテーション支援装置において、前記第２の表示画面はタッチパネルを有し、前記表示制御手段は、前記タッチパネルから入力された内容を前記第１の表示画面に表示させることを特徴とするプレゼンテーション支援装置。
【請求項６】
請求項１乃至５のいずれか１に記載のプレゼンテーション支援装置において、前記第１の表示画面及び第２の表示画面に異なるプレゼンテーション用データを表示させる場合、前記第１の表示画面に表示させるプレゼンテーション用データと、前記第２の表示画面に表示させるプレゼンテーション用データとを関連付けて前記記憶手段に記憶して有し、前記表示制御手段は、前記第２の表示画面のプレゼンテーション用データの切り替えに連動させて前記記憶手段から関連する前記第１の表示画面のプレゼンテーション用データを選択し、該選択したプレゼンテーション用データを前記第１の表示画面に表示させることを特徴とするプレゼンテーション支援装置。
【請求項７】
請求項６に記載のプレゼンテーション支援装置において、前記第２の表示画面に表示させるプレゼンテーション用データは、前記第１の表示画面に表示させるプレゼンテーション用データに関するコメント又は説明者の作成した原稿であることを特徴とするプレゼンテーション支援装置。
【請求項８】
請求項６又は７に記載のプレゼンテーション支援装置において、前記表示制御手段は、前記第２の表示画面上の任意の領域に、前記第１の表示画面を縮小した画面を表示できるようにしたことを特徴とするプレゼンテーション支援装置。
【請求項９】
請求項１乃至８のいずれか１に記載のプレゼンテーション支援装置において、前記表示制御手段は、前記第１の表示画面に表示させるプレゼンテーション用データの一覧を表示順序に並べた状態で前記第２の表示画面上の任意の領域に表示させることを特徴とするプレゼンテーション支援装置。
【請求項１０】
請求項１乃至９のいずれか１に記載のプレゼンテーション支援装置において、プレゼンテーション用データを記録した携帯可能な記録媒体又は情報処理装置を接続するための入出力インタフェイスと、該入出力インタフェイスに接続された記録媒体又は情報処理装置に対するプレゼンテーション用データの読み込み／書き込みを制御する入出力デバイス制御手段とを有することを特徴とするプレゼンテーション支援装置。
【請求項１１】
請求項１乃至１０のいずれか１に記載のプレゼンテーション支援装置において、ＬＡＮ又はＷＡＮに接続するためのＬＡＮ／ＷＡＮ接続手段を有し、前記表示制御手段は、前記ＬＡＮ／ＷＡＮ接続手段により接続したＬＡＮ又はＷＡＮに接続されている情報処理装置からの表示操作情報に基づいて前記第１の表示画面及び／又は第２の表示画面の表示制御を行うことを特徴とするプレゼンテーション支援装置。
【請求項１２】
請求項１乃至１１のいずれか１に記載のプレゼンテーション支援装置を用いて実行されるプレゼンテーション支援方法において、画像及び／又は文字データからなるプレゼンテーション用データを前記プレゼンテーション支援装置が有する記憶手段に予め記憶して有し、視聴者に対してプレゼンテーションを行う際に該プレゼンテーションの対象とするプレゼンテーション用データを前記記憶手段から取得するデータ取得ステップと、該取得したプレゼンテーション用データを前記第１の表示画面及び第２の表示画面に表示させる表示ステップと、前記第２の表示画面のプレゼンテーション用データの切り替えに連動させて前記第１の表示画面のプレゼンテーション用データを切り替える画面切替ステップとを有し、説明者は前記第２の表示画面を見ながらプレゼンテーションを行い、視聴者は前記第１の表示画面を見ながら前記説明者のプレゼンテーションを視聴するようにしたことを特徴とするプレゼンテーション支援方法。
【請求項１３】
請求項１２に記載のプレゼンテーション支援方法において、前記第１の表示画面及び第２の表示画面に同じプレゼンテーション用データを表示させる場合、前記画面切替ステップにおいて、前記第２の表示画面のプレゼンテーション用データの切り替えに応じて前記第２の表示画面及び第１の表示画面に同じプレゼンテーション用データを表示させることを特徴とするプレゼンテーション支援方法。
【請求項１４】
請求項１２又は１３に記載のプレゼンテーション支援方法において、前記第１の表示画面及び第２の表示画面に異なるプレゼンテーション用データを表示させる場合、前記第１の表示画面に表示させるプレゼンテーション用データと、前記第２の表示画面に表示させるプレゼンテーション用データとを関連付けて前記記憶手段に記憶して有し、前記画面切替ステップにおいて、前記第２の表示画面のプレゼンテーション用データの切り替えに応じて前記記憶手段から関連する前記第１の表示画面のプレゼンテーション用データを選択し、該選択したプレゼンテーション用データを前記第１の表示画面に表示させることを特徴とするプレゼンテーション支援方法。
【請求項１５】
請求項１４に記載のプレゼンテーション支援方法において、前記第２の表示画面に表示させるプレゼンテーション用データは、前記第１の表示画面に表示させるプレゼンテーション用データに関するコメント又は説明者の作成した原稿であることを特徴とするプレゼンテーション支援方法。
【請求項１６】
請求項１４又は１５に記載のプレゼンテーション支援方法において、前記表示ステップにおいて、前記第２の表示画面上の任意の領域に、前記第１の表示画面を縮小した画面を表示できるようにしたことを特徴とするプレゼンテーション支援方法。
【請求項１７】
請求項１２乃至１６のいずれか１に記載のプレゼンテーション支援方法において、前記表示ステップにおいて、前記第１の表示画面に表示させるプレゼンテーション用データの一覧を表示順序に並べた状態で前記第２の表示画面上の任意の領域に表示させることを特徴とするプレゼンテーション支援方法。
【請求項１８】
請求項１乃至１１のいずれか１に記載のプレゼンテーション支援装置としての機能を実行するためのプログラム。
【請求項１９】
請求項１２乃至１７のいずれか１に記載のプレゼンテーション支援方法を実行するためのプログラム。
【請求項２０】
請求項１８又は１９に記載のプログラムを記録したコンピュータ読み取り可能な記録媒体。
【発明の詳細な説明】
【０００１】
【発明の属する技術分野】
本発明は、プレゼンテーション支援装置、方法、プログラム、及び記録媒体、より詳細には、両面に表示画面を備えた持ち運び可能なプレゼンテーション支援装置、該装置を用いたプレゼンテーション支援方法、これらを実行するためのプログラム、及び記録媒体に関する。
【０００２】
【従来の技術】
従来、視聴者が数名の小規模のプレゼンテーションを行う場合、例えば、紙のボード等を利用して説明することが多い。このような場合、視聴者に対して視覚的に効果の高いプレゼンテーションを行うことが難しい。最近、パーソナルコンピュータ（以下、ＰＣという）を利用することにより、グラフィックで視覚的に効果の高いプレゼンテーションを行うことができるようになってきた。しかしながら、携帯可能なラップトップ型ＰＣを用いてプレゼンテーションを行う場合、通常、表示画面は１つしかないため、説明者と視聴者とが寄り添った状態で１つの表示画面を見ながら対話することになり、操作ミスが発生し易く、説明等がスムーズにいかないケースが往々にしてあり、ＰＣの機能を十分に生かせていなかた。
【０００３】
上記のような問題を解決するために、２画面型ラップトップＰＣをセールスプレゼンテーションに用いて、セールスマンはサブ表示画面を顧客に見せ、対面した状態で顧客の反応を確かめながらセールスをスムーズに展開できるようにした画像表示装置が開示されている（例えば、特許文献１参照）。
【０００４】
【特許文献１】
特開平１０−１４９１１３号公報
【０００５】
【発明が解決しようとする課題】
しかしながら、上記特許文献１に記載の発明によると、顧客に対面した状態でプレゼンテーションを行う際に、セールス側画面に表示させる画像等と異なる画像を顧客側画面に表示させる機能を有しているものの、顧客側画面に異なる画像を表示させた場合、セールス側画面で顧客側画面に何が表示されているかを確認する手段については開示されていない。
【０００６】
本発明は、上述のごとき実情に鑑みてなされたものであり、両面に表示画面を備えた持ち運び可能なプレゼンテーション支援装置において、説明者は視聴者に対面した状態で自画面を操作し、それを視聴者側の画面に表示できるようにして、スムーズ且つ効果的なプレゼンテーションを行えるようにすること、を目的としてなされたものである。
【０００７】
【課題を解決するための手段】
請求項１の発明は、略直方体の筐体部を有する持ち運び可能なプレゼンテーション支援装置において、前記筐体部を構成する複数の面のうちプレゼンテーションの視聴者側に向ける面に第１の表示画面を設けると共に、該第１の表示画面を設けた面の裏側の面に第２の表示画面を設け、前記第１の表示画面及び第２の表示画面に同じ又は異なる画像及び／又は文字データを表示させながらプレゼンテーションを行えるようにしたことを特徴としたものである。
【０００８】
請求項２の発明は、請求項１の発明において、画像及び／又は文字データからなるプレゼンテーション用データ及び該プレゼンテーション用データを再生するためのアプリケーションプログラムを記憶する記憶手段と、前記第１の表示画面及び第２の表示画面に前記記憶したプレゼンテーション用データを表示させる際の表示制御を行う表示制御手段とを有することを特徴としたものである。
【０００９】
請求項３の発明は、請求項１又は２の発明において、プレゼンテーション用データに対する表示操作情報を前記表示制御手段に入力するための表示操作部を前記第２の表示画面の近傍に設けたことを特徴としたものである。
【００１０】
請求項４の発明は、請求項１乃至３のいずれか１の発明において、前記第１の表示画面及び第２の表示画面に同じプレゼンテーション用データを表示させる場合、前記表示制御手段は、前記第２の表示画面のプレゼンテーション用データの切り替えに連動させて前記第１の表示画面のプレゼンテーション用データを切り替えることを特徴としたものである。
【００１１】
請求項５の発明は、請求項４の発明において、前記第２の表示画面はタッチパネルを有し、前記表示制御手段は、前記タッチパネルから入力された内容を前記第１の表示画面に表示させることを特徴としたものである。
【００１２】
請求項６の発明は、請求項１乃至５のいずれか１の発明において、前記第１の表示画面及び第２の表示画面に異なるプレゼンテーション用データを表示させる場合、前記第１の表示画面に表示させるプレゼンテーション用データと、前記第２の表示画面に表示させるプレゼンテーション用データとを関連付けて前記記憶手段に記憶して有し、前記表示制御手段は、前記第２の表示画面のプレゼンテーション用データの切り替えに連動させて前記記憶手段から関連する前記第１の表示画面のプレゼンテーション用データを選択し、該選択したプレゼンテーション用データを前記第１の表示画面に表示させることを特徴としたものである。
【００１３】
請求項７の発明は、請求項６の発明において、前記第２の表示画面に表示させるプレゼンテーション用データは、前記第１の表示画面に表示させるプレゼンテーション用データに関するコメント又は説明者の作成した原稿であることを特徴としたものである。
【００１４】
請求項８の発明は、請求項６又は７の発明において、前記表示制御手段は、前記第２の表示画面上の任意の領域に、前記第１の表示画面を縮小した画面を表示できるようにしたことを特徴としたものである。
【００１５】
請求項９の発明は、請求項１乃至８のいずれか１の発明において、前記表示制御手段は、前記第１の表示画面に表示させるプレゼンテーション用データの一覧を表示順序に並べた状態で前記第２の表示画面上の任意の領域に表示させることを特徴としたものである。
【００１６】
請求項１０の発明は、請求項１乃至９のいずれか１の発明において、プレゼンテーション用データを記録した携帯可能な記録媒体又は情報処理装置を接続するための入出力インタフェイスと、該入出力インタフェイスに接続された記録媒体又は情報処理装置に対するプレゼンテーション用データの読み込み／書き込みを制御する入出力デバイス制御手段とを有することを特徴としたものである。
【００１７】
請求項１１の発明は、請求項１乃至１０のいずれか１の発明において、ＬＡＮ又はＷＡＮに接続するためのＬＡＮ／ＷＡＮ接続手段を有し、前記表示制御手段は、前記ＬＡＮ／ＷＡＮ接続手段により接続したＬＡＮ又はＷＡＮに接続されている情報処理装置からの表示操作情報に基づいて前記第１の表示画面及び／又は第２の表示画面の表示制御を行うことを特徴としたものである。
【００１８】
請求項１２の発明は、請求項１乃至１１のいずれか１の発明において、画像及び／又は文字データからなるプレゼンテーション用データを前記プレゼンテーション支援装置が有する記憶手段に予め記憶して有し、視聴者に対してプレゼンテーションを行う際に該プレゼンテーションの対象とするプレゼンテーション用データを前記記憶手段から取得するデータ取得ステップと、該取得したプレゼンテーション用データを前記第１の表示画面及び第２の表示画面に表示させる表示ステップと、前記第２の表示画面のプレゼンテーション用データの切り替えに連動させて前記第１の表示画面のプレゼンテーション用データを切り替える画面切替ステップとを有し、説明者は前記第２の表示画面を見ながらプレゼンテーションを行い、視聴者は前記第１の表示画面を見ながら前記説明者のプレゼンテーションを視聴するようにしたことを特徴としたものである。
【００１９】
請求項１３の発明は、請求項１２の発明において、前記第１の表示画面及び第２の表示画面に同じプレゼンテーション用データを表示させる場合、前記画面切替ステップにおいて、前記第２の表示画面のプレゼンテーション用データの切り替えに応じて前記第２の表示画面及び第１の表示画面に同じプレゼンテーション用データを表示させることを特徴としたものである。
【００２０】
請求項１４の発明は、請求項１２又は１３の発明において、前記第１の表示画面及び第２の表示画面に異なるプレゼンテーション用データを表示させる場合、前記第１の表示画面に表示させるプレゼンテーション用データと、前記第２の表示画面に表示させるプレゼンテーション用データとを関連付けて前記記憶手段に記憶して有し、前記画面切替ステップにおいて、前記第２の表示画面のプレゼンテーション用データの切り替えに応じて前記記憶手段から関連する前記第１の表示画面のプレゼンテーション用データを選択し、該選択したプレゼンテーション用データを前記第１の表示画面に表示させることを特徴としたものである。
【００２１】
請求項１５の発明は、請求項１４の発明において、前記第２の表示画面に表示させるプレゼンテーション用データは、前記第１の表示画面に表示させるプレゼンテーション用データに関するコメント又は説明者の作成した原稿であることを特徴としたものである。
【００２２】
請求項１６の発明は、請求項１４又は１５の発明において、前記表示ステップにおいて、前記第２の表示画面上の任意の領域に、前記第１の表示画面を縮小した画面を表示できるようにしたことを特徴としたものである。
【００２３】
請求項１７の発明は、請求項１２乃至１６のいずれか１の発明において、前記表示ステップにおいて、前記第１の表示画面に表示させるプレゼンテーション用データの一覧を表示順序に並べた状態で前記第２の表示画面上の任意の領域に表示させることを特徴としたものである。
【００２４】
請求項１８の発明は、請求項１乃至１１のいずれか１に記載のプレゼンテーション支援装置としての機能を実行するためのプログラムである。
【００２５】
請求項１９の発明は、請求項１２乃至１７のいずれか１に記載のプレゼンテーション支援方法を実行するためのプログラムである。
【００２６】
請求項２０の発明は、請求項１８又は１９に記載のプログラムを記録したコンピュータ読み取り可能な記録媒体である。
【００２７】
【発明の実施の形態】
図１は、本発明の一実施形態であるプレゼンテーション支援装置の内部構成例について説明するためのブロック図で、図中、１０はプレゼンテーション支援装置で、該プレゼンテーション支援装置１０は、ＣＰＵ１１，制御プログラム等を記憶したＲＯＭ１２，各種プログラムの実行領域であるＲＡＭ１３，アプリケーションプログラム１４ａ及びプレゼンテーション用データ１４ｂを記憶した記憶装置１４，表示制御部１５，表示操作部１６，入出力デバイス制御部１７，入出力Ｉ／Ｆ１８，プレゼンテーションの視聴者側に表示面を向けるメイン表示装置１９，プレゼンテーションの説明者側に表示面を向けるサブ表示装置２０を有している。ここで、メイン表示装置１９及びサブ表示装置２０としては、例えば、ＬＣＤ，プラズマディスプレイなどの薄型表示装置が好適である。
【００２８】
ＣＰＵ１１は、記憶装置１４に記憶されているアプリケーションプログラム１４ａをＲＡＭ１３に読み出して実行し、アプリケーションプログラム１４ａによりプレゼンテーション用データ１４ｂを再生してメイン表示装置１９及びサブ表示装置２０にそれぞれ表示させる。この際、表示制御部１５は、表示操作部１６から入力される操作情報に基づいて、メイン表示装置１９及びサブ表示装置２０に対して表示制御を行う。ここで、プレゼンテーション用データ１４ｂは、プレゼンテーションに使用する画像及び／又は文字データであって、例えば、Ｍｉｃｒｏｓｏｆｔ  Ｐｏｗｅｒｐｏｉｎｔ（Ｒ）などのプレゼンテーション資料作成ソフトウェアを用いて作成されたものである。また、アプリケーションプログラム１４ａは、プレゼンテーション用データ１４ｂを再生するためのプログラムである。
【００２９】
入出力Ｉ／Ｆ１８は、プレゼンテーション用データを記録した携帯可能な記録媒体又は情報処理装置を接続するためのＩ／Ｆで、この入出力Ｉ／Ｆ１８は、携帯可能な記録媒体として、例えば、ＣＤ−ＲＯＭ，ＣＤ−Ｒ，ＣＤ−ＲＷ，ＤＶＤ−ＲＯＭ（ＲＡＭ），ＤＶＤ−Ｒ，ＤＶＤ−ＲＷ等の光ディスクや、フレキシブルディスク、光磁気（ＭＯ）ディスク、各種メモリカード等を接続可能とし、また、例えば、ＵＳＢ，ＩＥＥＥ１３９４，ＳＣＳＩ等により、例えばラップトップ型ＰＣ等の情報処理装置を接続可能とする。入出力デバイス制御部１７は、入出力Ｉ／Ｆ１８に接続された記録媒体又は情報処理装置に対するプレゼンテーション用データの読み込み／書き込みを制御する。
【００３０】
図２は、図１に示したプレゼンテーション支援装置１０の外観斜視図である。図２（Ａ）は、プレゼンテーション支援装置１０をプレゼンテーションの説明者側面から見た斜視図で、プレゼンテーション支援装置１０は、表示操作部１６，入出力Ｉ／Ｆ１８，サブ表示装置２０を有する。また、図２（Ｂ）は、プレゼンテーション支援装置１０をプレゼンテーションの視聴者側面から見た図で、プレゼンテーション支援装置１０は、メイン表示装置１９を有する。プレゼンテーション支援装置１０の画面の大きさは、例えば、Ａ２程度が好適であり、持ち運び可能なサイズとすることで、場所に左右されず移動先などでもプレゼンテーションを行うことができる。
【００３１】
メイン表示装置１９の画面，サブ表示装置２０の画面に同じプレゼンテーション用データを表示させる場合、表示制御部１５は、サブ表示装置２０のプレゼンテーション用データ１４ｂの切り替えに連動させてメイン表示装置１９のプレゼンテーション用データ１４ｂを切り替え表示させるように制御を行う。
【００３２】
本実施形態のプレゼンテーション支援装置１０は、メイン表示装置１９を設けた面の裏側の面にサブ表示画面２０を設けており、プレゼンテーションの説明者は、メイン表示画面１９及びサブ表示画面２０に同じ画像及び／又は文字データを表示させながらプレゼンテーションを行うことができる。この際、説明者は、表示させるプレゼンテーション用データ１４ｂに対する表示操作情報を表示操作部１６から入力する。この表示操作部１６は、サブ表示装置２０の画面の近傍に設けられており、例えば、画面の順送り，スキップ，戻し，拡大／縮小等の各種操作をサブ表示装置２０の画面を見ながら行うことができる。
【００３３】
また、表示操作部１６に一覧表示ボタンを設ける構成としてもよい。説明者により上記一覧表示ボタンが押下された場合、表示制御部１５は、メイン表示装置１９に表示させるプレゼンテーション用データ１４ｂの一覧を表示順序に並べた状態でサブ表示装置２０上の任意の領域に表示させる。説明者は、必要に応じてプレゼンテーション用データ１４ｂの一覧を参照して表示順序を確認しながらプレゼンテーションを行うことができる。
【００３４】
本発明によると、視聴者側を向く表示画面及び説明者側を向く表示画面の２つの表示画面を備えた持ち運び可能なプレゼンテーション支援装置において、説明者は視聴者に対面した状態で自画面を操作し、それを視聴者側の画面に表示させることができるため、スムーズ且つ効果的なプレゼンテーションを行うことができる。
また、紙などのボードを使用したプレゼンテーションに比べて、格段に視覚効果の高いプレゼンテーションを行うことができる。
また、持ち運び可能な大きさのため、プレゼンテーションの実施場所を自由に設定することが可能となる。
【００３５】
図３は、本発明の他の実施形態であるプレゼンテーション支援装置１０の内部構成例について説明するためのブロック図で、プレゼンテーション支援装置１０は、さらに、サブ表示装置２０にタッチパネル２０ａを有している。その他の構成については図１に示したプレゼンテーション支援装置１０の構成と同様であるため、ここでの説明は省略するものとする。
【００３６】
本実施形態のプレゼンテーション支援装置１０の場合、説明者側のサブ表示装置２０にタッチパネル２０ａを有しているため、ペン入力用のスタイラスペン２１等を用いてサブ表示装置２０の画面上に直接書き込んで入力する、すなわち、手書き入力することが可能となる。表示制御部１５は、タッチパネル２０ａから入力された内容をメイン表示装置１９にも表示させるように表示制御を行う。
【００３７】
図４は、図３に示したプレゼンテーション支援装置１０の外観斜視図である。図４（Ａ）は、プレゼンテーション支援装置１０をプレゼンテーションの説明者側面から見た斜視図で、プレゼンテーション支援装置１０は、表示操作部１６，入出力Ｉ／Ｆ１８，サブ表示装置２０，その画面上にタッチパネル２０ａを有する。また、図４（Ｂ）は、プレゼンテーション支援装置１０をプレゼンテーションの視聴者側面から見た図で、プレゼンテーション支援装置１０は、メイン表示装置１９を有する。説明者がスタイラスペン２１を用いてサブ表示装置２０のタッチパネル２０ａに、例えば囲み枠２２を書き込むと、メイン表示装置１９の同じ位置に囲み枠２２が書き込まれる。尚、一旦書き込んだ囲み枠２２を削除，編集することも可能である。尚、タッチパネル２０ａをサブ表示装置２０の画面上のみでなく、メイン表示装置１９の画面上に設ける構成としてもよい。
【００３８】
本発明によると、プレゼンテーション支援装置にタッチパネルを備えることにより、画面上への手書き入力が可能となり、より効果的なプレゼンテーションを行うことができる。
【００３９】
図５は、図１に示したプレゼンテーション支援装置１０の他の実施形態について示す外観斜視図である。図５（Ａ）は、プレゼンテーション支援装置１０をプレゼンテーションの説明者側面から見た斜視図で、プレゼンテーション支援装置１０は、表示操作部１６，入出力Ｉ／Ｆ１８，サブ表示装置２０，メイン表示装置１９の画面を縮小表示した縮小画面１９′を有する。また、図５（Ｂ）は、プレゼンテーション支援装置１０をプレゼンテーションの視聴者側面から見た図で、プレゼンテーション支援装置１０は、メイン表示装置１９を有する。縮小画面１９′は、メイン表示装置１９に表示している表示画面を縮小したもので、サブ表示装置２０の表示画面上に重ねて表示されている。本実施形態では、メイン表示装置１９の画面に表示させるプレゼンテーション用データをプレゼンテーション用データ１４ｂとし、サブ表示装置２０の画面に表示させるプレゼンテーション用データをプレゼンテーション用データ１４ｂ′として、メイン表示装置１９の画面及びサブ表示装置２０の画面にそれぞれ異なるプレゼンテーション用データを表示させる場合について説明する。
【００４０】
図１及び図５に示したプレゼンテーション支援装置１０において、メイン表示装置１９の画面及びサブ表示装置２０の画面に異なるプレゼンテーション用データを表示させる場合、メイン表示装置１９に表示させるプレゼンテーション用データ１４ｂと、サブ表示装置２０に表示させるプレゼンテーション用データ１４ｂ′とを関連付けて記憶装置１４に記憶しておく。表示制御部１５は、サブ表示装置２０のプレゼンテーション用データ１４ｂ′の切り替えに連動させて記憶装置１４から関連するメイン表示装置１９のプレゼンテーション用データ１４ｂを選択し、選択したプレゼンテーション用データ１４ｂをメイン表示装置１９に表示するように制御する。
【００４１】
図５（Ａ）に示すように、サブ表示装置２０の画面には、メイン表示装置１９に表示させるプレゼンテーション用データ１４ｂに関するコメント又は説明者の作成した原稿などを表示させるようにしてもよい。さらに、表示制御部１５は、サブ表示装置２０の画面上の任意の領域に、メイン表示装置１９の表示画面を縮小した縮小画面１９′を表示するようにしてもよい。
【００４２】
本発明によると、視聴者側を向く表示画面及び説明者側を向く表示画面それぞれに異なるプレゼンテーション用データを表示させることができるので、例えば、説明者の作成した原稿などを説明者側の画面に表示させることにより、プレゼンテーションを効果的に支援することができる。
【００４３】
図６は、本発明の他の実施形態であるプレゼンテーション支援装置１０の内部構成例について説明するためのブロック図で、プレゼンテーション支援装置１０は、さらに、通信制御部２３，ＬＡＮ（Ｌｏｃａｌ  Ａｒｅａ  Ｎｅｔｗｏｒｋ）／ＷＡＮ（Ｗｉｄｅ  Ａｒｅａ  Ｎｅｔｗｏｒｋ）接続手段２４を有している。その他の構成については図３に示したプレゼンテーション支援装置１０の構成と同様であるため、ここでの説明は省略するものとする。
【００４４】
本実施形態のプレゼンテーション支援装置１０の場合、ネットワーク３０を介した通信を制御するための通信制御部２３，ＬＡＮ又はＷＡＮに接続するためのＬＡＮ／ＷＡＮ接続手段２４を有し、表示制御部１５は、ＬＡＮ／ＷＡＮ接続手段２４により接続したネットワーク３０に接続されているＰＣ等の情報処理装置からの表示操作情報に基づいてメイン表示装置１９及び／又はサブ表示装置２０の表示制御を行う。このように構成することにより、ネットワーク３０に接続されたＰＣ等からプレゼンテーション支援装置１０の遠隔操作を行うことができる。
【００４５】
図７は、図６に示したプレゼンテーション支援装置１０の外観斜視図である。図７（Ａ）は、プレゼンテーション支援装置１０をプレゼンテーションの説明者側面から見た斜視図で、プレゼンテーション支援装置１０は、表示操作部１６，入出力Ｉ／Ｆ１８，サブ表示装置２０を有する。また、図７（Ｂ）は、プレゼンテーション支援装置１０をプレゼンテーションの視聴者側面から見た図で、プレゼンテーション支援装置１０は、メイン表示装置１９を有する。本実施形態の場合、プレゼンテーション支援装置１０は、ネットワーク３０を介して情報処理装置４０と接続されている。
【００４６】
ネットワーク３０の実施形態としては、有線、無線に限らずＬＡＮ又はＷＡＮや、ＭＡＮ（Ｍｅｔｒｏｐｏｌｉｔａｎ  Ａｒｅａ  Ｎｅｔｗｏｒｋ）等により構成されているものとする。
【００４７】
本発明によると、ＬＡＮ又はＷＡＮ等のネットワークに接続する機能を有しているため、ネットワークに接続されたＰＣ等の情報処理装置からプレゼンテーション支援装置の遠隔操作を行うことができる。
【００４８】
図８は、本発明が適用されるプレゼンテーション支援装置１０を用いたプレゼンテーション支援方法の一例を説明するためのフロー図である。本例は、プレゼンテーション支援装置１０のメイン表示装置１９及びサブ表示装置２０の画面上に同じプレゼンテーション用データ１４ｂを表示させる場合について説明する。まず、プレゼンテーション支援装置１０は、プレゼンテーションの対象とするプレゼンテーション用データ１４ｂを記憶装置１４から取得し（ステップＳ１）、取得したプレゼンテーション用データ１４ｂをメイン表示装置１９及びサブ表示装置２０に表示させる（ステップＳ２）。
【００４９】
次に、プレゼンテーション支援装置１０は、サブ表示装置２０の画面の切り替えに連動させてメイン表示装置１９の画面を切り替えてプレゼンテーションを進め（ステップＳ３）、全てのプレゼンテーション用データ１４ｂを表示したかどうか判断し（ステップＳ４）、全てのプレゼンテーション用データ１４ｂを表示していない場合（ＮＯの場合）、上記ステップＳ３に戻り処理を繰り返す。また、上記ステップＳ４において、全てのプレゼンテーション用データ１４ｂを表示した場合（ＹＥＳの場合）、そのまま終了する。
【００５０】
図９は、本発明が適用されるプレゼンテーション支援装置１０を用いたプレゼンテーション支援方法の他の例を説明するためのフロー図である。本例は、プレゼンテーション支援装置１０のメイン表示装置１９及びサブ表示装置２０の画面上に異なるプレゼンテーション用データ（プレゼンテーション用データ１４ｂ及びプレゼンテーション用データ１４ｂ′）を表示させる場合について説明する。この場合、記憶装置１４には、プレゼンテーション用データ１４ｂ及びプレゼンテーション用データ１４ｂ′が予め関連付けられて記憶されている。
まず、プレゼンテーション支援装置１０は、プレゼンテーションの対象とする異なるプレゼンテーション用データをメイン画面、サブ画面それぞれについて記憶装置１４から取得し（ステップＳ１１）、取得したプレゼンテーション用データ１４ｂ及びプレゼンテーション用データ１４ｂ′をメイン表示装置１９及びサブ表示装置２０それぞれに表示させる（ステップＳ１２）。
【００５１】
次に、プレゼンテーション支援装置１０は、サブ表示装置２０の画面を切り替えると共に（ステップＳ１３）、サブ表示装置２０のプレゼンテーション用データ１４ｂ′に関連するメイン表示装置１９のプレゼンテーション用データ１４ｂを記憶装置１４から選択し（ステップＳ１４）、選択したプレゼンテーション用データ１４ｂをメイン表示装置１９の画面に表示させながらプレゼンテーションを進める（ステップＳ１５）。次に、全てのプレゼンテーション用データ１４ｂを表示したかどうか判断し（ステップＳ１６）、全てのプレゼンテーション用データ１４ｂを表示していない場合（ＮＯの場合）、上記ステップＳ１３に戻り処理を繰り返す。また、上記ステップＳ１６において、全てのプレゼンテーション用データ１４ｂを表示した場合（ＹＥＳの場合）、そのまま終了する。
【００５２】
以上、本発明に係わるプレゼンテーション支援装置における各機能を中心に各実施形態を説明してきたが、本発明は、プレゼンテーション支援装置における各ステップを実行する方法としても説明したようにプレゼンテーション支援方法としての形態もとることができる。また、この各機能を有するプレゼンテーション支援装置と同様に、コンピュータにプレゼンテーション支援装置として機能させるためのプログラムとしての形態も、また、そのプログラムを記録した記録媒体としての形態も可能である。
【００５３】
本発明によるプレゼンテーション支援機能を実現するためのプログラムやデータを記憶した記録媒体の実施形態について説明する。記録媒体としては、具体的には、ＣＤ―ＲＯＭ（―Ｒ／―ＲＷ）、光磁気ディスク、ＤＶＤ―ＲＯＭ、ＦＤ、フラッシュメモリ、メモリカードや、メモリスティック及びその他各種ＲＯＭやＲＡＭ等が想定でき、これら記録媒体に上述した本発明の各実施形態の装置としての機能をコンピュータに実行させ、プレゼンテーション支援機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶装置に当該プログラムを記憶させておき、必要に応じて読み出すことにより、本発明に関わるプレゼンテーション支援機能を実行することができる。
【００５４】
【発明の効果】
本発明によると、視聴者側を向く表示画面及び説明者側を向く表示画面の２つの表示画面を有しているため、説明者は視聴者に対面した状態で自画面を操作し、それを視聴者側の画面に表示することが可能となり、スムーズ且つ効果的なプレゼンテーションを行うことができる。
【図面の簡単な説明】
【図１】本発明の一実施形態であるプレゼンテーション支援装置の内部構成例について説明するためのブロック図である。
【図２】図１に示したプレゼンテーション支援装置の外観斜視図である。
【図３】本発明の他の実施形態であるプレゼンテーション支援装置の内部構成例について説明するためのブロック図である。
【図４】図３に示したプレゼンテーション支援装置の外観斜視図である。
【図５】図１に示したプレゼンテーション支援装置１０の他の実施形態について示す外観斜視図である。
【図６】本発明の他の実施形態であるプレゼンテーション支援装置の内部構成例について説明するためのブロック図である。
【図７】図６に示したプレゼンテーション支援装置の外観斜視図である。
【図８】本発明が適用されるプレゼンテーション支援装置を用いたプレゼンテーション支援方法の一例を説明するためのフロー図である。
【図９】本発明が適用されるプレゼンテーション支援装置を用いたプレゼンテーション支援方法の他の例を説明するためのフロー図である。
【符号の説明】
１０…プレゼンテーション支援装置、１１…ＣＰＵ、１２…ＲＯＭ、１３…ＲＡＭ、１４…記憶装置、１４ａ…アプリケーションプログラム、１４ｂ，１４ｂ′…プレゼンテーション用データ、１５…表示制御部、１６…表示操作部、１７…入出力デバイス制御部、１８…入出力Ｉ／Ｆ、１９…メイン表示装置、１９′…縮小画面、２０…サブ表示装置、２０ａ…タッチパネル、２１…スタイラスペン、２２…囲み枠、２３…通信制御部、２４…ＬＡＮ／ＷＡＮ接続手段、３０…ネットワーク、４０…情報処理装置。
【図１】
2005049475.tif 000003
【図２】
2005049475.tif 000004
【図３】
2005049475.tif 000005
【図４】
2005049475.tif 000006
【図５】
2005049475.tif 000007
【図６】
2005049475.tif 000008
【図７】
2005049475.tif 000009
【図８】
2005049475.tif 000010
【図９】
2005049475.tif 000011